(57)【要約】  本発明はシューズ、特にスポーツシューズであって、シューズアッパー（１）とソール（２）とが設けられており、この場合、前記ソール（２）の上側または前記ソール（２）内に緩衝エレメント（３）が配置されている形式のものに関する。緩衝エレメントのばね剛性をばね経路にわたって改良するために本発明は、緩衝エレメントが、横断面でほぼＵ字形または槽形に形成された複数の緩衝体（５）の上側の第１のグループ（４）を有しており、前記緩衝体（５）が、それぞれ結合区分（８）と結合されている２つの脚部（６，７）を有しており、前記緩衝エレメント（３）が、横断面でほぼＵ字形または槽形に形成された複数の緩衝体（１０）の下側の第２のグループ（９）を有しており、前記緩衝体（１０）が、それぞれ結合区分（１３）と結合されている２つの脚部（１１，１２）を有しており、前記緩衝エレメント（３）が介在支持体（１４）を有しており、該介在支持体（１４）が、前記緩衝体（５；１０）の前記両グループ（４；９）の間に配置されており、前記介在支持体（１４）に前記脚部（６，７；１１，１２）が、前記結合区分（８；１３）から離間された前記脚部（６，７；１１，１２）の端部で接しているか、または前記介在支持体（１４）に前記脚部（６，７；１１，１２）が結合されており、各前記緩衝エレメント（５；１０）の隣り合った前記脚部（６，７；１１，１２）が、接合個所（１５，１６）において互いに隣接しているかまたは互いに結合されており、前記上側の緩衝体（５）の前記接合個所（１５）と前記下側の緩衝体（１０）の前記接合個所（１６）とが、前記緩衝エレメント（３）の長手方向（Ｌ）でずらされて前記介在支持体（１４）に配置されている。
2009514578.tif 000002
【特許請求の範囲】
【請求項１】
シューズ、殊にスポーツシューズであって、シューズアッパー（１）とソール（２）とが設けられており、該ソール（２）の上側または前記ソール（２）内に緩衝エレメント（３）が配置されている形式のものにおいて、
前記緩衝エレメント（３）が、横断面でほぼＵ字形または槽形に形成された複数の緩衝体（５）の上側の第１のグループ（４）を有しており、前記緩衝体（５）が、それぞれ結合区分（８）と結合されている２つの脚部（６，７）を有しており、
前記緩衝エレメント（３）が、横断面でほぼＵ字形または槽形に形成された複数の緩衝体（１０）の下側の第２のグループ（９）を有しており、前記緩衝体（１０）が、それぞれ結合区分（１３）と結合されている２つの脚部（１１，１２）を有しており、
前記緩衝エレメント（３）が介在支持体（１４）を有しており、該介在支持体（１４）が、前記緩衝体（５；１０）の前記両グループ（４；９）の間に配置されており、前記介在支持体（１４）に前記脚部（６，７；１１，１２）が、前記結合区分（８；１３）から離間された前記脚部（６，７；１１，１２）の端部で接しているか、または前記介在支持体（１４）に前記脚部（６，７；１１，１２）が結合されており、
各前記緩衝エレメント（５；１０）の隣り合った前記脚部（６，７；１１，１２）が、接合個所（１５，１６）において互いに隣接しているかまたは互いに結合されており、
前記上側の緩衝体（５）の前記接合個所（１５）と前記下側の緩衝体（１０）の前記接合個所（１６）とが、前記緩衝エレメント（３）の長手方向（Ｌ）でずらされて前記介在支持体（１４）に配置されていることを特徴とする、シューズ、殊にスポーツシューズ。
【請求項２】
一方の緩衝体（５）の接合個所（１５）が、前記緩衝エレメント（３）の長手方向（Ｌ）で見て、他方の緩衝体（１０）の２つの接合個所（１６）の中間に配置されている、請求項１記載のシューズ。
【請求項３】
前記介在支持体（１４）が、ほぼ平坦でプレート状の部分として形成されている、請求項１または２記載のシューズ。
【請求項４】
前記介在支持体（１４）が、前記緩衝エレメント（３）の長手方向（Ｌ）で波形または屈曲形の経過を有している、請求項３記載のシューズ。
【請求項５】
前記緩衝体（５，１０）が、横断面で少なくとも部分的に中央平面に対して対称的に形成されている、請求項１から４までのいずれか一項記載のシューズ。
【請求項６】
前記緩衝体（５，１０）が、横断面で少なくとも部分的に中央平面に対して非対称的に形成されている、請求項１から４までのいずれか一項記載のシューズ。
【請求項７】
前記脚部（６，７；１１，１２）が、ほぼ真っ直ぐに延びていて、前記介在支持体（１４）の平面または水平面に対して４５°から８９°、好ましくは４５°から８５°の所定の角度（α）を成して前記介在支持体（１４）に接触している、請求項１から６までのいずれか一項記載のシューズ。
【請求項８】
前記緩衝体（５；１０）の前記脚部（６，７；１１，１２）と前記結合区分（８；１３）とが、面状体に形成された部分として当該シューズの幅の少なくとも一部分にわたって延びていて且つ中空室を形成する、請求項１から７までのいずれか一項記載のシューズ。
【請求項９】
前記緩衝エレメント（３）が、底部寄りの領域に切込みを有している、請求項１から８までのいずれか一項記載のシューズ。
【請求項１０】
前記緩衝体（５；１０）の前記脚部（６，７；１１，１２）と前記結合区分（８；１３）とが、面状体に形成された部分として前記ソール（２）の全幅にわたって延びている、請求項８記載のシューズ。
【請求項１１】
前記緩衝体（５；１０）の前記脚部（６，７；１１，１２）と前記結合区分（８；１３）とが、面状体に形成された部分として前記ソール（２）の側方領域（１７，１８）においてのみ延びていて、中央領域（１９）に切り欠かれた領域を残している、請求項８または９記載のシューズ。
【請求項１２】
前記緩衝体（５；１０）の前記結合区分（８；１３）が、少なくとも部分的に長手方向（Ｌ）で短い延在部を有している、請求項１から１１までのいずれか一項記載のシューズ。
【請求項１３】
前記結合区分（８；１３）が、横断面で前記脚部（６，７；１１，１２）のほぼ点状の結合個所として形成されている、請求項１２記載のシューズ。
【請求項１４】
前記結合区分（８；１３）が、前記脚部（６，７；１１，１２）の丸みを帯びた移行部として形成されている、請求項１３記載のシューズ。
【請求項１５】
少なくとも１つの緩衝エレメント（３）が、当該シューズのリアフット領域にのみ配置されている、請求項１から１４までのいずれか一項記載のシューズ。
【請求項１６】
少なくとも１つの緩衝エレメント（３）が、それぞれ当該シューズのフロントフット領域およびリアフット領域に配置されている、請求項１から１４までのいずれか一項記載のシューズ。
【請求項１７】
前記緩衝エレメント（３）が、前記ソール（２）のヒール側の端部から延びている、請求項１から１４までのいずれか一項記載のシューズ。
【請求項１８】
前記緩衝エレメント（３）が、ヒールカップ（２０）の下面に配置されている、請求項１から１７までのいずれか一項記載のシューズ。
【請求項１９】
前記緩衝エレメント（３）の下面にアウトソール（２１）が配置されている、請求項１から１８までのいずれか一項記載のシューズ。
【請求項２０】
前記下側の緩衝体（１０）の前記結合区分（１３）が、セグメント化されたアウトソール（２１）として形成されている、請求項１から１８までのいずれか一項記載のシューズ。
【請求項２１】
前記緩衝エレメント（３）が、当該シューズの後方の端部にまで延びていて、且つヒール周辺で上方に延びている、請求項１から２０までのいずれか一項記載のシューズ。
【請求項２２】
前記緩衝エレメント（３）が、ヒール領域において全シューズ高さ（Ｈ）の４０％から７５％の高さ（ｈ）にまで延びている、請求項２１記載のシューズ。
【請求項２３】
前記アウトソール（２１）が、少なくとも前記緩衝エレメント（３）が延びている全領域にわたって延びている、請求項１９から２２までのいずれか一項記載のシューズ。
【請求項２４】
前記アウトソール（２１）が、前記緩衝エレメント（３）の領域を越えて延びている、請求項２３記載のシューズ。
【請求項２５】
前記緩衝体（５；１０）の両グループが、前記介在支持体（１４）と一緒に一体の射出成形部材として形成されている、請求項１から２４までのいずれか一項記載のシューズ。
【発明の詳細な説明】
【技術分野】
【０００１】
本発明は、シューズ、特にスポーツシューズであって、シューアッパーとソールとを有していて、この場合、ソールの上側またはソール内に緩衝エレメントが配置されている形式のものに関する。
【０００２】
一般的に公知なこの種のスポーツシューズにおいては、ソールの所望のばね・緩衝挙動を提供する必要がある。このために先行技術では複数の解決手段が公知である。
【０００３】
ＷＯ０１／１７３８４Ａ２にはシューズのためのソールが記載されていて、このソールの場合には、リアフット領域に支持体もしくは内側部分とアウトソールとの間に湾曲した形状を有する複数のリブが位置決めされている。従って、衝撃力によるソールへの負荷時にリブは曲がる。この場合、リブはほぼ半楕円形状を有する。
【０００４】
この場合、リブのこの変形に基づき、ばね剛性の劣悪な制御に繋がり望んでいない、ばね剛性の比較的著しい崩壊が確認され得ることは欠点である。
【０００５】
本発明の課題は、冒頭で述べた形式のシューズ、特にスポーツシューズを改良して、ばね経路、つまりたわみにわたってばね剛性のより良好に制御可能な経過を付与することである。さらにばね剛性が所望の機能に基づきたわみにわたって延在していることが望まれ、特に連続的な形式で崩壊を被ることは望まれない。従って、シューズソールもしくはこのシューズソール内に配置された緩衝エレメントのばね挙動に良好に影響を及ぼすことができるようにしたい。
【０００６】
本発明によるこの課題の解決手段は、緩衝エレメントが、横断面でほぼＵ字形または槽形に形成された複数の緩衝体の上側の第１のグループを有しており、この場合、前記緩衝体が、それぞれ結合区分と結合されている２つの脚部を有しており、前記緩衝エレメントが、横断面でほぼＵ字形または槽形に形成された複数の緩衝体の下側の第２のグループを有しており、この場合、前記緩衝体が、それぞれ結合区分と結合されている２つの脚部を有しており、前記緩衝エレメントが介在支持体を有しており、該介在支持体が、前記緩衝体の前記両グループの間に配置されており、前記介在支持体に前記脚部が、前記結合区分から離間された前記脚部の端部で接しているか、または前記介在支持体に前記脚部が結合されており、この場合、上側と下側の緩衝体の接合個所が、緩衝エレメントの長手方向でずらされて前記介在支持体に配置されている。
【０００７】
有利には、一方の緩衝体の接合個所は緩衝エレメントの長手方向で見て他方の緩衝体の２つの接合個所の間の中間に配置されている。
【０００８】
つまり本発明の思想は緩衝体の２つの異なるグループを設けることである。これらのグループはそれぞれ横断面で槽形またはＵ字形に形成されていて、接合個所において互いに隣接している。上側のグループと下側のグループとの槽形またはＵ字形のボディは、その開放側で互いに配向することができ、介在支持体を介して互いに結合されている。
【０００９】
これにより広幅な領域を越えて調節可能もしくは作用発揮可能であるばね・緩衝特性を備えた緩衝エレメントがもたらされる。
【００１０】
改良形は、介在支持体はほぼ平坦でプレート状の部分として形成されていることを提案する。この下では、介在支持体が緩衝エレメントの長手方向で僅かに波形の経過を有することができる、ということもさらに理解されたい。
【００１１】
また、介在支持体がソールの延在部に続いていて、この場合、フロントフット領域から、さらに十分に平坦な形状が存在している中間フット領域を介してリアフット領域へと徐々に湾曲する、つまりそこでは平坦ではないということも可能である。ヒール領域では介在支持体は特にカップ形に構成することができる。
【００１２】
有利には、槽形の成形体として緩衝体が構成されている事例のために、シールボディの脚部は真っ直ぐに延びていて、介在支持体の平面もしくは水平面に対して４５〜８５°の角度を成して介在支持体に接触している。選択された角度を介してばね挙動に決定的な影響を与えることができる。脚部が介在支持体に至る角度がフラットであればあるほど、シューズの力負荷時に生じる脚部での圧力はより高くなる。
【００１３】
緩衝体の脚部と結合区分とは、面状体に形成された部分として成形することができる。これらの部分は、シューズの幅の少なくとも一部分にわたって延びていて中空室を形成する。所定の構成によれば、緩衝体の脚部と結合区分とは面状体に形成された部分としてソールの全幅にわたって延びているようになっている。これに対して択一的には、緩衝体の脚部と結合区分とは面状体に形成された部分として、ソールの側方領域にだけ延びていて、中央領域では切り欠かれた領域を設けることも可能である。
【００１４】
緩衝エレメントは本発明の別の構成によれば、ソールのヒール側の端部から延びている。緩衝エレメントをヒールカップの下面に配置することができる。さらに緩衝エレメントの下面にはアウトソールが配置されていることを提案できる。これに対する択一的な構成は、下側の緩衝体の結合区分がセグメント化されたアウトソールとして形成されている、ということを提案する。
【００１５】
シューズの後方の領域にもある程度のばね・緩衝特性を獲得するために、緩衝エレメントはシューズの後方の端部にまで延びていて且つヒール周辺で上方に延びていることもできる。この場合、別の改良形によれば、緩衝エレメントはヒール領域においてシューズ高さ全体の４０〜７５％の高さにまで延びている。緩衝エレメントの終端として、槽形またはＵ字形の緩衝体の最後の脚部が認められる。
【００１６】
アウトソールは少なくとも緩衝エレメントが延びている全領域にわたって延びていてよい。さらにアウトソールは緩衝エレメントの領域を越えて延びていることも提案できる。
【００１７】
製造技術的な利点は、両グループが緩衝体を介在支持体と一緒に一体の射出成形部材として形成されていると達成することができる。
【００１８】
ソールの部分、特に緩衝エレメントは、有利にはプラスチック、特に熱可塑性の材料から成っている。この場合、特に有利には、ポリエチレン、ポリプロピレン、ポリブタン、ポリアミド、ポリウレタン、または少なくとも２つのこれらのプラスチックの混合物が考慮されている。プラスチックは、半透明または透明であってよい。アウターソールも、プラスチック、有利にはポリエチレン、ポリプロピレン、ポリブタン、ポリアミド、ポリウレタンまたは少なくとも２つのこれらのプラスチックの混合物から成っているか、またはゴムから成っていてよい。この場合、材料は半透明でないかまたは透明ではない。
【００１９】
緩衝エレメント（脚部、結合区分、介在支持体）の個々の構成部材の材料と幾何学的な寸法とは、緩衝エレメントのばね特性および／または緩衝特性を規定するために、当業者により選択することができる。
【００２０】
記載の構成によって、少なくとも所定のばね経路領域にわたって、ばね剛性が所望の経過に基づきもたらされるようになる。絶対値であるばね剛性は、緩衝エレメント（脚部、結合区分、介在支持体）の構成部材の肉厚を介して調節することができる。そのために既に言及したように、脚部が介在支持体に通じる角度は設計および調節のために考慮することもできる。
【００２１】
提案された緩衝エレメントとシューズ全体との製造は、簡単な形式で且つ廉価に可能であり、このために公知の手法が使用される。
【００２２】
本発明に係るシューズ、特にスポーツシューズは、シューズ、殊にスポーツシューズであって、シューズアッパーとソールとが設けられており、該ソールの上側または前記ソール内に緩衝エレメントが配置されている形式のものにおいて、前記緩衝エレメントが、横断面でほぼＵ字形または槽形に形成された複数の緩衝体の上側の第１のグループを有しており、前記緩衝体が、それぞれ結合区分と結合されている２つの脚部を有しており、前記緩衝エレメントが、横断面でほぼＵ字形または槽形に形成された複数の緩衝体の下側の第２のグループを有しており、前記緩衝体が、それぞれ結合区分と結合されている２つの脚部を有しており、前記緩衝エレメントが介在支持体を有しており、該介在支持体が、前記緩衝体の前記両グループの間に配置されており、前記介在支持体に前記脚部が、前記結合区分から離間された前記脚部の端部で接しているか、または前記介在支持体に前記脚部が結合されており、各前記緩衝エレメントの隣り合った前記脚部が、接合個所において互いに隣接しているかまたは互いに結合されており、前記上側の緩衝体の前記接合個所と前記下側の緩衝体の前記接合個所とが、前記緩衝エレメントの長手方向でずらされて前記介在支持体に配置されていることを特徴とする。
【００２３】
本発明に係るシューズは、有利には、一方の緩衝体の接合個所が、前記緩衝エレメントの長手方向で見て、他方の緩衝体の２つの接合個所の中間に配置されている。
【００２４】
本発明に係るシューズは、有利には、前記介在支持体が、ほぼ平坦でプレート状の部分として形成されている。
【００２５】
本発明に係るシューズは、有利には、前記介在支持体が、前記緩衝エレメントの長手方向で波形または屈曲形の経過を有している。
【００２６】
本発明に係るシューズは、有利には、前記緩衝体が、横断面で少なくとも部分的に中央平面に対して対称的に形成されている。
【００２７】
本発明に係るシューズは、有利には、前記緩衝体が、横断面で少なくとも部分的に中央平面に対して非対称的に形成されている。
【００２８】
本発明に係るシューズは、有利には、前記脚部が、ほぼ真っ直ぐに延びていて、前記介在支持体の平面または水平面に対して４５°から８９°、好ましくは４５°から８５°の所定の角度を成して前記介在支持体に接触している。
【００２９】
本発明に係るシューズは、有利には、前記緩衝体の前記脚部と前記結合区分とが、面状体に形成された部分として当該シューズの幅の少なくとも一部分にわたって延びていて且つ中空室を形成する。
【００３０】
本発明に係るシューズは、有利には、前記緩衝エレメントが、底部寄りの領域に切込みを有している。
【００３１】
本発明に係るシューズは、有利には、前記緩衝体の前記脚部と前記結合区分とが、面状体に形成された部分として前記ソールの全幅にわたって延びている。
【００３２】
本発明に係るシューズは、有利には、前記緩衝体の前記脚部と前記結合区分とが、面状体に形成された部分として前記ソールの側方領域においてのみ延びていて、中央領域に切り欠かれた領域を残している。
【００３３】
本発明に係るシューズは、有利には、前記緩衝体の前記結合区分が、少なくとも部分的に長手方向で短い延在部を有している。
【００３４】
本発明に係るシューズは、有利には、前記結合区分が、横断面で前記脚部のほぼ点状の結合個所として形成されている。
【００３５】
本発明に係るシューズは、有利には、前記結合区分が、前記脚部の丸みを帯びた移行部として形成されている。
【００３６】
本発明に係るシューズは、有利には、少なくとも１つの緩衝エレメントが、当該シューズのリアフット領域にのみ配置されている。
【００３７】
本発明に係るシューズは、有利には、少なくとも１つの緩衝エレメントが、それぞれ当該シューズのフロントフット領域およびリアフット領域に配置されている。
【００３８】
本発明に係るシューズは、有利には、前記緩衝エレメントが、前記ソールのヒール側の端部から延びている。
【００３９】
本発明に係るシューズは、有利には、前記緩衝エレメントが、ヒールカップの下面に配置されている。
【００４０】
本発明に係るシューズは、有利には、前記緩衝エレメントの下面にアウトソールが配置されている。
【００４１】
本発明に係るシューズは、有利には、前記下側の緩衝体の前記結合区分が、セグメント化されたアウトソールとして形成されている。
【００４２】
本発明に係るシューズは、有利には、前記緩衝エレメントが、当該シューズの後方の端部にまで延びていて、且つヒール周辺で上方に延びている。
【００４３】
本発明に係るシューズは、有利には、前記緩衝エレメントが、ヒール領域において全シューズ高さの４０％から７５％の高さにまで延びている。
【００４４】
本発明に係るシューズは、有利には、前記アウトソールが、少なくとも前記緩衝エレメントが延びている全領域にわたって延びている。
【００４５】
本発明に係るシューズは、有利には、前記アウトソールが、前記緩衝エレメントの領域を越えて延びている。
【００４６】
本発明に係るシューズは、有利には、前記緩衝体の両グループが、前記介在支持体と一緒に一体の射出成形部材として形成されている。
【００４７】
本発明の実施例を図面につき説明する。
【００４８】
図１には、スポーツシューズ内に組み込まれている緩衝エレメント３が示されている。類似の緩衝エレメント３のためのシューズ内への組込みが図２から明らかである。ここではヒール領域だけが示されている。当然、類似の構成がフロントフット領域にも当てはまる。このフロントフット領域には同様に本発明による緩衝エレメントが組み込まれていてよい。さらに、唯一の緩衝エレメント３を設けることが可能であり、この緩衝エレメント３はシューズの全長にわたって延びている。
【００４９】
図１の緩衝エレメント３は、緩衝体５もしくは１０の２つのグループ４，９を有している。複数の緩衝体５もしくは１０は相並んで配置されていて、接合個所１５もしくは１６において接触している。緩衝体５，１０は当該実施例では槽形に形成されていて、つまり各緩衝体５，１０は、結合区分８もしくは１３を介して互いに結合されている２つの脚部６，７もしくは１１，１２を有している。従って、結合区分８もしくは１３と２つの脚部６，７もしくは１１，１２とが緩衝体５もしくは１０を形成し、横断面で、つまり側方から見てＵ字に類似の形状を有している。
【００５０】
緩衝体５の上側のグループ４と緩衝体１０の下側のグループ９とは、それぞれ介在支持体１４に接合されていて、この場合、介在支持体１４は十分に平坦であるものの、緩衝体３の長手方向Ｌで僅かな波形を有することもできる。つまり隣り合った脚部６，７，１１，１２の接合個所１５もしくは１６は介在支持体１４と結合されている。
【００５１】
さらに見て取ることができるように、各接合個所１５もしくは１６は、長手方向Ｌでずらされて相互に配置されている。上側の緩衝体５の接合個所１５は、それぞれ下側の緩衝体１０の２つの接合個所１６の中間に位置している。このことは接合個所１６に適切に当てはまり、これらの接合個所１６はそれぞれ２つの接合個所１５の中間に位置するようになっている。
【００５２】
この構成により、特に有利に且つ再現可能に規定することができるばね・緩衝特性を備えた緩衝エレメントが提供される。ばね・緩衝特性を固有に規定するために、特に角度αを考慮することができ（図１参照）、この角度αは、脚部６，７，１１，１２がどのように介在支持体１４に接触しているかを明らかにする。有利には角度のための値は５０〜８０°の間の値である。
【００５３】
図２から、この種の緩衝エレメント３がシューズ内にシューズアッパー１とソール２と一緒にいかに組み込まれ得るかを見て取ることができる。緩衝体３はここでは（図１のように）平坦に形成されてはおらず、シューズの支持体のヒールの経過に続いている。
【００５４】
記載の高さｈに基づき、緩衝エレメント３がヒール領域におけるシューズの全高Ｈのほぼ半分に相当する領域に至るまで上方に延びている、ということを見て取ることができる。
【００５５】
緩衝エレメント３は図２の実施例ではヒールカップ２０の下面に配置されていて、このヒールカップ２０はシューズの支持体のヒール形状に適合されている。緩衝体３の下面にはアウトソール２１が配置されていて、このアウトソール２１は緩衝エレメント３を下方からカバーする。
【００５６】
図３に示されている図２の断面図Ａ−Ｂから見て取ることができるように、緩衝エレメント３は当該実施例ではシューズの全幅にわたって延びてはいない。むしろ中央領域１９に切り欠かれた領域を開放したままにするために、緩衝エレメント３は２つの側方領域１７，１８にだけ延びているようになっている。もちろんこの切欠きはソールの一部分にのみ設けることもでき、この場合にはソールの別の領域には緩衝エレメント３が全面的に備え付けられている。
【００５７】
有利には、緩衝エレメント３は一体の射出成形部材として（有利にはＥＶＡ）から形成されている。この場合、緩衝エレメント３はヒールカップ２０もしくはアウトソール２１に接着することができるか、もしくは切欠き内に挿入することができる。これらの切欠きはそのためにソール２内に設けられている。
【００５８】
図４に示した緩衝エレメント３の改良形は、図１の解決手段と同じ本発明のコンセプトに基づいている。前記解決手段においては２つのグループ４，９の個々の緩衝体５，１０は仮想中央平面に対して対称的に構成されていたが、このことは図４の解決手段においては、緩衝体５，１０の少なくとも一部分にとっては問題とはならない。記載の角度α′，α′′に基づき明らかであるように、非対称的である。角度α′は僅かに９０°を下回り、別の角度α′′は約６０°である。前記角度α′，α′′は、また介在支持体１４の平面もしくは仮想水平面に対して脚部６，７もしくは１１，１２の延在部が起立している角度である。
【００５９】
さらに結合区分８もしくは１３、とりわけ上側の結合区分８は、シューズもしくは緩衝体３の長手方向Ｌで見て、極めて短い延在部しか有していない、ということを見て取ることができる。いわばここでは結合区分８，１３は結合点（もしくはシューズの幅にわたって延在する結合線）である。この結合点によって脚部６，７もしくは１１，１２は互いに結合されている。見て判るように、一方の脚部の他方の脚部への移行部を丸み帯び部として形成することができる。この丸み帯び部はこの事例では結合区分８，１３であることが判る。
【００６０】
この事例でも緩衝エレメント３では底部寄りの領域に切込みを加工することもできる。この切込みは長手方向Ｌで強制的に延びている必要はなく、つまり長手方向溝の形式で加工する必要はない。切込みは底部から見て、たとえば楕円形または腎臓形の輪郭を有していることも可能である。
【００６１】
提案された緩衝エレメント３は、単にリアフット領域にのみ、つまり特にヒールの下方に配置することができる。また択一的または付加的に、この種の緩衝エレメントがフロントフット領域に配置されていることも提案することができる。最終的に記載の緩衝エレメントがシューズ長さ全体にわたって延びていることもできる。
【図面の簡単な説明】
【００６２】
【図１】緩衝エレメントの斜視図である。
【図２】シューズの後方の部分の側面図である。
【図３】図２の断面Ａ−Ｂを示した図である。
【図４】本発明による緩衝エレメントの、図１に対して択一的であるものの類似の構成を示した図である。
【符号の説明】
【００６３】
１  シューアッパー、  ２  ソール、  ３  緩衝エレメント、  ４  緩衝体の上側の第１のグループ、  ５  緩衝体、  ６  脚部、  ７  脚部、  ８  結合区分、  ９  緩衝体の下側の第２のグループ、  １０  緩衝体、  １１  脚部、  １２  脚部、  １３  結合区分、  １４  介在支持体、  １５  接合個所、  １６  接合個所、  １７  側方領域、  １８  側方領域、  １９  中央領域、  ２０  ヒールカップ、  ２１  アウトソール、  Ｌ  長手方向、  α，α′，α′′  角度、  ｈ  高さ、  Ｈ  全シューズ高さ
【図１】
2009514578.tif 000003
【図２】
2009514578.tif 000004
【図３】
2009514578.tif 000005
【図４】
2009514578.tif 000006
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
シューズ、殊にスポーツシューズであって、シューズアッパー（１）とソール（２）とが設けられており、該ソール（２）の上側または前記ソール（２）内に緩衝エレメント（３）が配置されている形式のものにおいて、
前記緩衝エレメント（３）が、横断面でほぼＵ字形または槽形に形成された複数の緩衝体（５）の上側の第１のグループ（４）を有しており、前記緩衝体（５）が、それぞれ結合区分（８）と結合されている２つの脚部（６，７）を有しており、
前記緩衝エレメント（３）が、横断面でほぼＵ字形または槽形に形成された複数の緩衝体（１０）の下側の第２のグループ（９）を有しており、前記緩衝体（１０）が、それぞれ結合区分（１３）と結合されている２つの脚部（１１，１２）を有しており、
前記緩衝エレメント（３）が介在支持体（１４）を有しており、該介在支持体（１４）が、前記緩衝体（５；１０）の前記両グループ（４；９）の間に配置されており、前記脚部（６，７；１１，１２）が、前記結合区分（８；１３）から離間された前記脚部（６，７；１１，１２）の端部で前記介在支持体（１４）に隣接しているか、または前記介在支持体（１４）に前記脚部（６，７；１１，１２）が結合されており、
各前記緩衝エレメント（５；１０）の隣り合った前記脚部（６，７；１１，１２）が、前記接合個所（１５，１６）において互いに隣接しているかまたは互いに結合されており、上側および下側の緩衝体（５；１０）の前記接合個所（１５，１６）が、緩衝エレメント（３）の長手方向でずらされて前記介在支持体（１４）に配置されており、
前記介在支持体（１４）が、実質的に平坦でプレート状の部分または前記緩衝エレメント（３）の長手方向（Ｌ）で波形または座屈形の経過を備えた部分として形成されており、
前記脚部（６，７；１１，１２）が、実質的に真っ直ぐに延びていて、前記介在支持体（１４）の平面または水平面に対して４５°から８９°、好ましくは４５°から８５°の所定の角度（α）を成して前記介在支持体（１４）に接触していることを特徴とする、シューズ、殊にスポーツシューズ。
【請求項２】
一方の緩衝体（５）の接合個所（１５）が、前記緩衝エレメント（３）の長手方向（Ｌ）で見て、他方の緩衝体（１０）の２つの接合個所（１６）の中間に配置されている、請求項１記載のシューズ。
【請求項３】
前記緩衝体（５，１０）が、横断面で中間平面に対して少なくとも部分的に対称的に形成されている、請求項１または２記載のシューズ。
【請求項４】
前記緩衝体（５，１０）が、横断面で中間平面に対して少なくとも部分的に非対称的に形成されている、請求項１または２記載のシューズ。
【請求項５】
前記緩衝体（５；１０）の前記脚部（６，７；１１，１２）と前記結合区分（８；１３）とが、面状体に形成された部分として当該シューズの幅の少なくとも一部分にわたって延びていて且つ中空室を形成する、請求項１から４までのいずれか一項記載のシューズ。
【請求項６】
前記緩衝エレメント（３）が、底部寄りの領域に切込みを有している、請求項１から５までのいずれか一項記載のシューズ。
【請求項７】
前記緩衝体（５；１０）の前記脚部（６，７；１１，１２）と前記結合区分（８；１３）とが、面状体に形成された部分として前記ソール（２）の全幅にわたって延びている、請求項５記載のシューズ。
【請求項８】
前記緩衝体（５；１０）の前記脚部（６，７；１１，１２）と前記結合区分（８；１３）とが、面状体に形成された部分として前記ソール（２）の側方領域（１７，１８）にのみ延びていて、中央領域（１９）に切り欠かれた領域を残している、請求項５または６記載のシューズ。
【請求項９】
前記緩衝体（５；１０）の前記結合区分（８；１３）が、少なくとも部分的に長手方向（Ｌ）で短い延在部を有している、請求項１から８までのいずれか一項記載のシューズ。
【請求項１０】
前記結合区分（８；１３）が、横断面で前記脚部（６，７；１１，１２）のほぼ点状の結合個所として形成されている、請求項９記載のシューズ。
【請求項１１】
前記結合区分（８；１３）が、前記脚部（６，７；１１，１２）の丸みを帯びた移行部として形成されている、請求項１０記載のシューズ。
【請求項１２】
少なくとも１つの緩衝エレメント（３）が、当該シューズのリアフット領域にのみ配置されている、請求項１から１１までのいずれか一項記載のシューズ。
【請求項１３】
少なくとも１つの緩衝エレメント（３）が、それぞれ当該シューズのフロントフット領域およびリアフット領域に配置されている、請求項１から１１までのいずれか一項記載のシューズ。
【請求項１４】
前記緩衝エレメント（３）が、前記ソール（２）のヒール側の端部から延びている、請求項１から１１までのいずれか一項記載のシューズ。
【請求項１５】
前記緩衝エレメント（３）が、ヒールカップ（２０）の下面に配置されている、請求項１から１４までのいずれか一項記載のシューズ。
【請求項１６】
前記緩衝エレメント（３）の下面にアウトソール（２１）が配置されている、請求項１から１５までのいずれか一項記載のシューズ。
【請求項１７】
前記下側の緩衝体（１０）の前記結合区分（１３）が、セグメント化されたアウトソール（２１）として形成されている、請求項１から１５までのいずれか一項記載のシューズ。
【請求項１８】
前記緩衝エレメント（３）が、当該シューズの後方の端部にまで延びていて且つヒール周辺で上方に延びている、請求項１から１７までのいずれか一項記載のシューズ。
【請求項１９】
前記緩衝エレメント（３）が、ヒール領域において全シューズ高さ（Ｈ）の４０％から７５％の高さ（ｈ）にまで延びている、請求項１８記載のシューズ。
【請求項２０】
前記アウトソール（２１）が、少なくとも緩衝エレメント（３）が延びている全領域にわたって延びている、請求項１６から１９までのいずれか一項記載のシューズ。
【請求項２１】
前記アウトソール（２１）が、前記緩衝エレメント（３）の領域を越えて延びている、請求項２０記載のシューズ。
【請求項２２】
前記緩衝体（５；１０）の両グループが、前記介在支持体（１４）と一緒に一体の射出成形部材として形成されている、請求項１から２１までのいずれか一項記載のシューズ。
【国際調査報告】
2009514578.tif 000007
2009514578.tif 000008
2009514578.tif 000009
2009514578.tif 000010
2009514578.tif 000011
2009514578.tif 000012